(57)【要約】【課題】極めて簡単な構成により、カット用紙を固定サイドガイド側に正確に沿うようにし、効果的にカット用紙がスキューしないようにして、印刷不良の低減を図った給紙装置を提供することを目的とする。【解決手段】カット用紙２を載置する用紙載置部１１と、この用紙載置部１１に載置された前記カット用紙２の端縁位置を規制する固定サイドガイド１２と、この固定サイドガイド１２と対峙して配設され、前記カット用紙２の幅方向位置を規制するとともに前記幅方向に移動可能な可動サイドガイド１３を有する給紙トレイ１を備えた給紙装置において、前記給紙トレイ１の可動サイドガイド１３の受面１３１を、用紙載置部１１の載置面１１１より高く形成し、前記カット用紙２がその自重により前記固定サイドガイド１２の側面に押し当てられるように構成する。【選択図】図１
2004331353.tif 000002
【特許請求の範囲】
【請求項１】
カット用紙を載置する用紙載置部と、この用紙載置部に載置された前記カット用紙の端縁位置を規制する固定サイドガイドと、この固定サイドガイドと対峙して配設され、前記カット用紙の幅方向位置を規制するとともに前記幅方向に移動可能な可動サイドガイドを有する給紙トレイを備えた給紙装置において、
前記給紙トレイの可動サイドガイドの受面を、用紙載置部の載置面より高く形成し、前記カット用紙がその自重により前記固定サイドガイドの側面に押し当てられるように構成したことを特徴とする給紙装置。
【請求項２】
カット用紙を載置する用紙載置部と、この用紙載置部に載置された前記カット用紙の端縁位置を規制する固定サイドガイドと、この固定サイドガイドと対峙して配設され、前記カット用紙の幅方向位置を規制するとともに前記幅方向に移動可能な可動サイドガイドを有する給紙トレイを備えた給紙装置において、
前記カット用紙が前記固定サイドガイドの側面に押し当てられるように給紙トレイを構成したことを特徴とする給紙装置。
【請求項３】
カット用紙を載置する用紙載置部と、この用紙載置部に載置された前記カット用紙の端縁位置を規制する固定サイドガイドと、この固定サイドガイドと対峙して配設され、前記カット用紙の幅方向位置を規制するとともに前記幅方向に移動可能な可動サイドガイドを有する給紙トレイを備えた給紙装置において、
前記カット用紙がその自重により前記固定サイドガイドの側面に押し当てられるように給紙トレイを構成したことを特徴とする給紙装置。
【請求項４】
カット用紙を載置する用紙載置部と、この用紙載置部に載置された前記カット用紙の端縁位置を規制する固定サイドガイドと、この固定サイドガイドと対峙して配設され、前記カット用紙の幅方向位置を規制するとともに前記幅方向に移動可能な可動サイドガイドを有する給紙トレイを備えた給紙装置において、
前記給紙トレイの可動サイドガイドの受面を、前記固定サイドガイド側に向かって傾斜せしめ、前記カット用紙がその自重により前記固定サイドガイドの側面に押し当てられるように構成したことを特徴とする給紙装置。
【請求項５】
カット用紙を載置する用紙載置部と、この用紙載置部に載置された前記カット用紙の端縁位置を規制する固定サイドガイドと、この固定サイドガイドと対峙して配設され、前記カット用紙の幅方向位置を規制するとともに前記幅方向に移動可能な可動サイドガイドを有する給紙トレイを備えた給紙装置において、
前記給紙トレイの可動サイドガイドに可動可能に圧接板を設けるとともに、その背面に圧縮バネを配設し、この圧縮バネの弾性力により、前記カット用紙を前記固定サイドガイドの側面に押し当てられるように構成したことを特徴とする給紙装置。
【請求項６】
前記給紙トレイの可動サイドガイドの受面およびガイド面に、前記圧接板がカット用紙の幅方向に摺動するのを案内する案内溝を設けたことを特徴とする請求項５に記載の給紙装置。
【請求項７】
前記給紙トレイの用紙載置部の載置面を、前記固定サイドガイド側に向かって低くなるように傾斜せしめしたことを特徴とする請求項１乃至請求項４のいずれか１つに記載の給紙装置。
【発明の詳細な説明】
【０００１】
【発明の属する技術分野】本発明は、プリンタ、ファクシミリ、複写機等の画像形成装置に使用されるシート給送装置に関する。
【０００２】
【従来の技術】近年この種プリンタ市場では、印字速度の高速化とともに、印字精度の向上が要求されている。なかでも印字速度の向上に伴って、その用紙搬送の面にも高い信頼性が要求されつつあり、とりわけ斜向（スキュー）による印刷不良が問題となり、給紙動作にはより高い信頼性が望まれている。
【０００３】一方、従来のプリンタ給紙機構としては、例えばインクジェット式のプリンタにおいて、カット用紙を載置するカット用紙積載手段にカット用紙の幅方向位置を規制する可動サイドガイドを備え、前記カット用紙の搬送方向後端側の幅方向角部に転接する押圧部材を前記カット用紙積載手段に取り付けた給送装置がある（例えば、特許文献１参照）。
【０００４】
【特許文献１】
特開平８−３０１４７３号公報
【０００５】
【発明が解決しようとする課題】しかし、前述の特許文献１記載の構成では、カット用紙が固定サイドガイド側に正確に沿うことができず、安定した状態で給紙することができない。この結果、スキューなどが発生し、印字不良の要因となる、などといった課題がある。
【０００６】本発明は、上述した問題を解決するためになされたものであり、極めて簡単な構成により、カット用紙を固定サイドガイド側に正確に沿うようにし、効果的にカット用紙がスキューしないようにして、印刷不良の低減を図った給紙装置を提供することを目的とする。
【０００７】
【課題を解決するための手段】かかる目的を達成するため、請求項１記載の発明では、カット用紙を載置する用紙載置部と、この用紙載置部に載置された前記カット用紙の端縁位置を規制する固定サイドガイドと、この固定サイドガイドと対峙して配設され、前記カット用紙の幅方向位置を規制するとともに前記幅方向に移動可能な可動サイドガイドを有する給紙トレイを備えた給紙装置において、前記給紙トレイの可動サイドガイドの受面を、用紙載置部の載置面より高く形成し、前記カット用紙がその自重により前記固定サイドガイドの側面に押し当てられるように構成する。
【０００８】請求項１記載の発明の構成によれば、カット用紙が載置される給紙トレイの可動サイドガイドの受面が、用紙載置部の載置面より高く形成されているので、前記カット用紙をセットすると、カット用紙は、その自重により固定サイドガイド側に向かって傾斜し、前記固定サイドガイドの側面に押し当てられ、カット用紙の位置決を確実に行うことができ、極めて安定した状態で給紙を行うことができる。この結果、極めて簡単な構成により、カット用紙のスキューを効果的に防止でき、印刷不良の低減を図ることができる。
【０００９】請求項２記載の発明では、カット用紙を載置する用紙載置部と、この用紙載置部に載置された前記カット用紙の端縁位置を規制する固定サイドガイドと、この固定サイドガイドと対峙して配設され、前記カット用紙の幅方向位置を規制するとともに前記幅方向に移動可能な可動サイドガイドを有する給紙トレイを備えた給紙装置において、前記カット用紙が前記固定サイドガイドの側面に押し当てられるように給紙トレイを構成する。
【００１０】請求項２記載の発明の構成によれば、給紙トレイが、前記カット用紙をセットすると、前記固定サイドガイドの側面に押し当てられるように構成されているので、カット用紙は、固定サイドガイド側に向かって傾斜し、前記固定サイドガイドの側面に押し当てられ、カット用紙の位置決を確実に行うことができ、極めて安定した状態で給紙を行うことができる。この結果、極めて簡単な構成により、カット用紙のスキューを効果的に防止でき、印刷不良の低減を図ることができる。
【００１１】請求項３記載の発明では、カット用紙を載置する用紙載置部と、この用紙載置部に載置された前記カット用紙の端縁位置を規制する固定サイドガイドと、この固定サイドガイドと対峙して配設され、前記カット用紙の幅方向位置を規制するとともに前記幅方向に移動可能な可動サイドガイドを有する給紙トレイを備えた給紙装置において、前記カット用紙がその自重により前記固定サイドガイドの側面に押し当てられるように給紙トレイを構成する。
【００１２】請求項３記載の発明の構成によれば、給紙トレイが、前記カット用紙をセットすると、その自重により前記固定サイドガイドの側面に押し当てられるように構成されているので、カット用紙は、固定サイドガイド側に向かって傾斜し、前記固定サイドガイドの側面に押し当てられ、カット用紙の位置決を確実に行うことができ、極めて安定した状態で給紙を行うことができる。この結果、極めて簡単な構成により、カット用紙のスキューを効果的に防止でき、印刷不良の低減を図ることができる。
【００１３】請求項４記載の発明では、カット用紙を載置する用紙載置部と、この用紙載置部に載置された前記カット用紙の端縁位置を規制する固定サイドガイドと、この固定サイドガイドと対峙して配設され、前記カット用紙の幅方向位置を規制するとともに前記幅方向に移動可能な可動サイドガイドを有する給紙トレイを備えた給紙装置において、前記給紙トレイの可動サイドガイドの受面を、前記固定サイドガイド側に向かって傾斜せしめ、前記カット用紙がその自重により前記固定サイドガイドの側面に押し当てられるように構成する。
【００１４】請求項４記載の発明の構成によれば、カット用紙が載置される給紙トレイの可動サイドガイドの受面が、前記固定サイドガイド側に向かって傾斜するように形成されているので、前記カット用紙をセットすると、カット用紙は、その自重により固定サイドガイド側に向かって傾斜し、前記固定サイドガイドの側面に押し当てられ、カット用紙の位置決を確実に行うことができ、極めて安定した状態で給紙を行うことができる。この結果、極めて簡単な構成により、カット用紙のスキューを効果的に防止でき、印刷不良の低減を図ることができる。
【００１５】請求項５記載の発明では、カット用紙を載置する用紙載置部と、この用紙載置部に載置された前記カット用紙の端縁位置を規制する固定サイドガイドと、この固定サイドガイドと対峙して配設され、前記カット用紙の幅方向位置を規制するとともに、前記幅方向に移動可能な可動サイドガイドを有する給紙トレイを備えた給紙装置において、前記給紙トレイの可動サイドガイドに可動可能に圧接板を設けるとともに、その背面に圧縮バネを配設し、この圧縮バネの弾性力により、前記カット用紙を前記固定サイドガイドの側面に押し当てられるように構成する。
【００１６】請求項５記載の発明の構成によれば、カット用紙が載置される給紙トレイの可動サイドガイドに、前記カット用紙を前記固定サイドガイドの側面に押し当てるように作用する圧縮バネにより押圧される圧接板が設けられているので、前記カット用紙をセットすると、カット用紙は、前記圧縮バネの弾性力により圧接板を介して押圧され、固定サイドガイド側の側面に押し当てられ、カット用紙の位置決を確実に行うことができ、極めて安定した状態で給紙を行うことができる。この結果、極めて簡単な構成により、カット用紙のスキューを効果的に防止でき、印刷不良の低減を図ることができる。
【００１７】請求項６記載の発明では、前記給紙トレイの可動サイドガイドの受面およびガイド面に、前記圧接板がカット用紙の幅方向に摺動するのを案内する案内溝を設ける。
【００１８】請求項６記載の発明の構成によれば、カット用紙の幅方向に前記圧接板案内する案内溝により、圧接板の移動方向や範囲が規制され、しかもその移動が円滑に行うことができるので、都合がよい。
【００１９】請求項７記載の発明では、前記給紙トレイの用紙載置部を、前記固定サイドガイド側に向かって低くなるように傾斜せしめる。
【００２０】請求項７記載の発明の構成によれば、用紙載置部に、固定サイドガイド側に向かって低くなるように傾斜が形成されているので、カット用紙が滑らかの状態で、前記固定サイドガイド側に向かって傾斜し、その側面に押し当てられるので、給紙がより円滑に行われ、都合がよい。
【００２１】
【発明の実施の形態】以下、本発明の一実施形態を図１乃至図３に基づき説明する。図１は、本発明の一実施形態による給紙装置の給紙トレイの概略構成を示す斜視図、図２は、図１に示す給紙トレイを上側から見た概略図、図３は、図１に示す給紙トレイに用いられる可動サイドガイドを示す斜視図である。
【００２２】１は、図示しない装置本体に装着され、カット用紙２を多数枚収納する給紙トレイ、３は、この給紙トレイ１に必要に応じて装着され、前記カット用紙２を支持する補助支持部、４は、前記カット用紙２を所定方向に送り出す給紙ローラなどからなる給紙手段で、図示しない駆動装置に連繋されている。
【００２３】本発明にしたがい、前記給紙トレイ１は、カット用紙２を載置する用紙載置部１１と、この用紙載置部１１に載置された前記カット用紙２の端縁位置を規制する固定サイドガイド１２と、この固定サイドガイド１２と対峙して配設され、前記カット用紙２の幅方向位置を規制するとともに、前記幅方向に移動可能な可動サイドガイド１３とを備えている。そして、前記可動サイドガイド１３の受面１３１は、前記用紙載置部１１の載置面１１１より充分に高く形成され、前記カット用紙２を載置した際、カット用紙２はその自重により図２に矢印Ａで示すように前記固定サイドガイド１２側に傾斜し、一方の端縁２１が前記固定サイドガイド１２の側面に押し当てられるように構成されている。図中１４は、ストッパー部である。
【００２４】なお、前記可動サイドガイド１３は、例えば登録実用新案第３０６０４７２号公報に示すように、カット用紙２の他方の端縁２２の位置を規制するガイド部１３２と、用紙載置部１１の上端１１２を跨ぐように形成されたフック部１３３と、用紙載置部１１の載置面１１１に形成された山部と谷部とが連続した横長の掛止部１１３の任意の谷部に嵌合可能な係合爪（図示せず）を有する弾性片１３４と、この弾性片１３４および前記ガイド部１３２に把手１３５、１３６とを設け、可動サイドガイド１３の位置決め性能を高めることと、可動サイドガイド１３を左右に移動させるときの操作性能を高めることの両方の性能を同時に向上させるようにしても良いのは勿論である。
【００２５】以上のような実施の形態では、カット用紙２が載置される給紙トレイ１の可動サイドガイド１３の受面１３１が、用紙載置部１１の載置面１１１より高く形成されているので、前記カット用紙２を用紙載置部１１にセットすると、カット用紙２は、その自重により固定サイドガイド１２側に向かって傾斜し、前記固定サイドガイド１２の側面に押し当てられ、カット用紙２の位置決を確実に行うことがで、極めて安定した状態で給紙を行うことができる。この結果、極めて簡単な構成により、カット用紙２のスキューを、効果的に防止でき、印刷不良の低減を図ることができる。
【００２６】次に、図４および図５に示す本発明の他の実施形態について説明する。なお、図４および図５において図１乃至図３と同じ符号を付した部分は略同一のものを示す。以下相違点を中心に説明する。
【００２７】図４は、本発明の他の実施形態による給紙トレイを上側から見た概略図、図５は、図４に示す給紙トレイに用いられる可動サイドガイドを示す斜視図である。
【００２８】この形態では、前記給紙トレイ１の可動サイドガイド１３の受面１３１は、ガイド部１３２側を高く、前記固定サイドガイド１２側を低くし、ガイド部１３２側から固定サイドガイド１２側に向かって低く傾斜するように形成され、カット用紙２がその自重により前記固定サイドガイド１２の側面に押し当てられるように構成されている。
【００２９】従って、この構成によれば、前述の実施の形態と同様、カット用紙２を給紙トレイ１にセットすると、カット用紙２は、その自重により矢印Ａで示すように固定サイドガイド１２側に向かって傾斜し、前記固定サイドガイド１２の側面に押し当てられ、カット用紙の位置決を確実に行うことができ、極めて安定した状態で給紙を行うことができる。この結果、極めて簡単な構成により、カット用紙２のスキューを効果的に防止でき、印刷不良の低減を図ることができる。
【００３０】なお、上述した実施態様では、可動サイドガイド１３の受面１３１は、ガイド部１３２側を高く、前記固定サイドガイド１２側を低くしたが、この逆、すなわち、ガイド部１３２側を低く、前記固定サイドガイド１２側を高くし、ガイド部１３２側から固定サイドガイド１２側に向かって高く傾斜するように形成しても良いのは勿論である。このようにしても、受面１３１の前記固定サイドガイド１２側の端部が、用紙載置部１１の載置面１１１より充分に高く形成されるので、上述した実施態様と同様の作用効果を奏することができる。
【００３１】次に、図６乃至図８に示す本発明の更に他の実施形態について説明する。なお、図６乃至図８において図１乃至図５と同じ符号を付した部分は略同一のものを示す。以下相違点を中心に説明する。
【００３２】図６は、本発明の更に他の実施形態による給紙トレイを上側から見た概略図、図７は、図６に示す給紙トレイに用いられる可動サイドガイドを示す斜視図、図８は、図７に示す可動サイドガイドの腰部を拡大して示す部分断面図である。
【００３３】この形態では、前記給紙トレイ１の可動サイドガイド１３に、カット用紙２の幅方向に可動可能な圧接板５を設けるとともに、その背面に１個或いは複数個の圧縮バネ６が配設され、この圧縮バネ６の弾性力により、前記圧接板５は、常時矢印Ｂ方向（カット用紙２の幅方向）に押し付けられており、これにより前記カット用紙２が固定サイドガイド１２の側面に押し当てるように構成されている。また、この圧接板５は、前記給紙トレイ１の可動サイドガイド１３の受面１３１およびこの受面１３１に対峙するガイド面１３７のカット用紙２の幅方向に形成された案内溝１３８に、その摺動部５１が配設せれ、前記圧接板５のカット用紙２の幅方向の移動方向や範囲が規制されている。
【００３４】この構成によれば、カット用紙２が載置される給紙トレイ１の可動サイドガイド１３に、前記カット用紙２を前記固定サイドガイド１２の側面に押し当てるように作用する圧縮バネ６により押圧され、かつカット用紙２の幅方向に移動可能な圧接板５が設けられているので、前記カット用紙２をセットすると、カット用紙２は、前記圧縮バネ６の弾性力により圧接板５を介して押圧され、固定サイドガイド側１２の側面に押し当てられ、カット用紙の位置決を確実に行うことができ、極めて安定した状態で給紙を行うことができる。この結果、極めて簡単な構成により、カット用紙のスキューを効果的に防止でき、印刷不良の低減を図ることができる。また、前記圧接板５は、前記給紙トレイ１の可動サイドガイド１３の受面１３１およびこの受面１３１に対峙するガイド面１３７のカット用紙２の幅方向に形成された案内溝１３８により、圧接板５の移動方向や範囲が規制され、しかもその移動を円滑に行うことができるので、都合がよい。
【００３５】なお、上述した各実施の形態は、本発明の好適な実施の形態の例であるが、これに限定されるものではなく、本発明の要旨を逸脱しない範囲において、種々変形実施可能であり、例えば図９に示すように前記給紙トレイ１の用紙載置部１１の載置面１１１を、ストッパー部１４側を高く、前記固定サイドガイド１２側を低くし、固定サイドガイド１２側に向かって低くなるように傾斜するように形成してもよいのは勿論である。
【００３６】この構成によれば、カット用紙２が滑らかの状態で、前記固定サイドガイド１２側に向かって傾斜し、その側面に押し当てられるので、給紙がより円滑に行われ、都合がよい。
【００３７】
【発明の効果】以上説明したように、請求項１記載の発明では、カット用紙が載置される給紙トレイの可動サイドガイドの受面が、用紙載置部の載置面より高く形成されているので、前記カット用紙をセットすると、カット用紙は、その自重により固定サイドガイド側に向かって傾斜し、前記固定サイドガイドの側面に押し当てられ、カット用紙の位置決を確実に行うことができ、極めて安定した状態で給紙を行うことができる。この結果、極めて簡単な構成により、カット用紙のスキューを効果的に防止でき、印刷不良の低減を図ることができる、などという効果を奏する。
【００３８】また、請求項２記載の発明では、給紙トレイが、前記カット用紙をセットすると、前記固定サイドガイドの側面に押し当てられるように構成されているので、カット用紙は、固定サイドガイド側に向かって傾斜し、前記固定サイドガイドの側面に押し当てられ、カット用紙の位置決を確実に行うことができ、極めて安定した状態で給紙を行うことができる。この結果、極めて簡単な構成により、カット用紙のスキューを効果的に防止でき、印刷不良の低減を図ることができる。
【００３９】また、請求項３記載の発明では、給紙トレイが、前記カット用紙をセットすると、その自重により前記固定サイドガイドの側面に押し当てられるように構成されているので、カット用紙は、固定サイドガイド側に向かって傾斜し、前記固定サイドガイドの側面に押し当てられ、カット用紙の位置決を確実に行うことができ、極めて安定した状態で給紙を行うことができる。この結果、極めて簡単な構成により、カット用紙のスキューを効果的に防止でき、印刷不良の低減を図ることができる。
【００４０】また、請求項４記載の発明では、カット用紙が載置される給紙トレイの可動サイドガイドの受面が、前記固定サイドガイド側に向かって傾斜するように形成されているので、前記カット用紙をセットすると、カット用紙は、その自重により固定サイドガイド側に向かって傾斜し、前記固定サイドガイドの側面に押し当てられ、カット用紙の位置決を確実に行うことができ、極めて安定した状態で給紙を行うことができる。この結果、極めて簡単な構成により、カット用紙のスキューを効果的に防止でき、印刷不良の低減を図ることができる。
【００４１】また、請求項５記載の発明では、カット用紙が載置される給紙トレイの可動サイドガイドに、前記カット用紙を前記固定サイドガイドの側面に押し当てるように作用する圧縮バネにより押圧される圧接板が設けられているので、前記カット用紙をセットすると、カット用紙は、前記圧縮バネの弾性力により圧接板を介して押圧され、固定サイドガイド側の側面に押し当てられ、カット用紙の位置決を確実に行うことができ、極めて安定した状態で給紙を行うことができる。この結果、極めて簡単な構成により、カット用紙のスキューを効果的に防止でき、印刷不良の低減を図ることができる。
【００４２】また、請求項６記載の発明では、給紙トレイの幅方向に前記圧接板案内する案内溝により、圧接板の移動方向や範囲が規制され、しかもその移動が円滑に行うことができるので、都合がよい。
【００４３】さらに、請求項７記載の発明では、用紙載置部に、固定サイドガイド側に向かって低くなるように傾斜が形成されているので、カット用紙が滑らかの状態で、前記固定サイドガイド側に向かって傾斜し、その側面に押し当てられるので、給紙がより円滑に行われ、都合がよい。
【図面の簡単な説明】
【図１】本発明の一実施形態による給紙装置の給紙トレイの概略構成を示す斜視図である。
【図２】図１に示す給紙トレイを上側から見た概略図である。
【図３】図１に示す給紙トレイに用いられる可動サイドガイドを示す斜視図である。
【図４】本発明の他の実施形態による給紙トレイを上側から見た概略図である。
【図５】図４に示す給紙トレイに用いられる可動サイドガイドを示す斜視図である。
【図６】本発明の更に他の実施形態による給紙トレイを上側から見た概略図である。
【図７】図６に示す給紙トレイに用いられる可動サイドガイドを示す斜視図である。
【図８】図７に示す可動サイドガイドの要部を拡大して示す部分断面図である。
【図９】本発明の更に他の実施形態による給紙トレイを上側から見た概略図である。
【符号の説明】
１      給紙トレイ
１１    用紙載置部
１１１  載置面
１２    固定サイドガイド
１３    可動サイドガイド
１３１  受面
１３２  ガイド部
１３７  ガイド面
１３８  案内溝
２      カット用紙
５      圧接板
５１    摺動部
６      圧縮バネ
【図１】
2004331353.tif 000003
【図２】
2004331353.tif 000004
【図３】
2004331353.tif 000005
【図４】
2004331353.tif 000006
【図５】
2004331353.tif 000007
【図６】
2004331353.tif 000008
【図７】
2004331353.tif 000009
【図８】
2004331353.tif 000010
【図９】
2004331353.tif 000011